(57)【特許請求の範囲】
【請求項１】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着されてなる磁気テープカートリッジにおいて、
前記リーダピンの両端部を着脱可能にケースに固定保持するバネ部材を有し、該バネ部材はリーダピンの両端部に当接する保持部を上下に連接して一体に設けたことを特徴とする磁気テープカートリッジ。
【請求項２】
前記バネ部材を上下及び左右対称形状に設けたことを特徴とする請求項１に記載の磁気テープカートリッジ。
【請求項３】
前記バネ部材は、前記保持部に加えてリーダピンを軸方向に付勢する押圧部を一体に設けたことを特徴とする請求項１に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、この磁気テープの先端に該磁気テープを引き出すためのリーダピンを固着してなる磁気テープカートリッジにおいて、上記リーダピンを着脱可能に保持するバネ部材の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材をコンピュータ側で引き出して巻き取り又は巻き戻しを行うようにドライブ装置が構成される。そして、上記リーダ部材は、カートリッジケースに着脱可能に保持されるものであり、その保持にはバネ部材を使用するのが構造上の簡素化等の点で有利である。
【０００４】
【発明が解決しようとする課題】
しかして、リーダピンを着脱可能に保持するバネ部材をカートリッジケースに取り付ける場合には、一般に樹脂製のケースの一部を溶融させて固定することが行われているが、このようなバネ部材の固定は組み付け工程が煩雑で、生産性の向上の妨げとなっている。また、リーダピンの両端部を別途に保持するスプリングを配設するものでは、バネ部材が２部品となり、組立工数が多くコスト面で不利となる。
【０００５】
本発明は上記点に鑑みなされたもので、リーダピンを着脱可能に保持するバネ部材のカートリッジケースへの組み付けを簡素化すると共に部品点数を低減するようにした磁気テープカートリッジを提供せんとするものである。
【０００６】
【課題を解決するための手段】
上記課題を解決した本発明の磁気テープカートリッジは、下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着され、このリーダピンの両端部を着脱可能にケースに固定保持するバネ部材を有し、該バネ部材はリーダピンの両端部に当接する保持部を上下に連接して一体に設けたことを特徴とするものである。
【０００７】
また、前記バネ部材は上下及び左右対称形状に設けて、組み付けの方向性を低減するのが好適である。
【０００８】
さらに、前記バネ部材は、保持部に加えてリーダピンを軸方向に付勢する押圧部を一体に設けるようにしてもよい。
【０００９】
前記バネ部材は、板バネまたは線バネで形成される。
【００１０】
【発明の効果】
上記のような本発明によれば、磁気テープを巻装した単一のリールを回転可能にカートリッジケースに収容し、磁気テープの先端に固着したリーダピンの両端部を着脱可能にケースに固定保持するバネ部材を、リーダピンの両端部に当接する保持部を上下に連接して一体に設けたことにより、リーダピンの両端部を１つのバネ部品で保持可能であり、部品点数の低減によりコストダウンが図れると共に、その組み付けは単一のバネ部材をケース内に組み込むだけで完了し、組み付け性が良好で生産性の向上が図れる。
【００１１】
特にバネ部材を上下及び左右対称形状に設けると、組み付け時におけるバネ部材の方向性が少なく、さらに組み付け性の向上が図れる。また、バネ部材にリーダピンを軸方向に付勢する押圧部も一体に設けると、リーダピンを位置決めした状態に安定して保持できる機能を一部品で構成でき、組み付け性も良好である。
【００１２】
【発明の実施の形態】
以下、図面に示す実施の形態に基づいて本発明を詳細に説明する。図１は一つの実施の形態の磁気テープカートリッジの分解斜視図である。
【００１３】
磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、上記リール４を回動可能に収容して構成されている。
【００１４】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を吸引保持させるためのリールプレート８が取り付けられる。またリールハブ２３の底部内面には、ブレーキボタン９に形成された制止用ギア９Ａと係合して不使用時の回転を拘束する制止用ギア２３Ａが刻設されている。また、リールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００１５】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合ってリール４の不使用時における回転が防止されている。一方、カートリッジ使用時は、磁気テープ装置のドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００１６】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００１７】
また、磁気テープカートリッジ１はその不使用時に磁気テープ２０が完全にリール４に巻き込まれた状態で、磁気テープ２０の端部に取り付けられたリーダピン２１が開口部２６の近傍に形成された凹部２８に係止される。
【００１８】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされると共に、マグネット式の回転駆動手段がリールプレート８を吸引した状態でリール４を回転駆動する。これと共に、スライドドア２７が開かれてリーダピン２１がテープ走行路の所定位置に引き込まれ、磁気テープ２０へのデータの読み書きが可能となる。
【００１９】
前記リーダピン２１は、磁気テープカートリッジ１を使用する記録再生装置が磁気テープ２０を装置内のテープ走行路に導入するために保持して引き込むものであり、このリーダピン２１を前記凹部２８に着脱可能に保持する後述のバネ部材３０，４０が設置され、このバネ部材の各実施の形態を以下に説明する。
【００２０】
＜第１の実施の形態＞
図２ないし図４に、板バネによるバネ部材３０の形態及び取り付け構造を示す。リーダピン２１は磁気テープ２０の先端部が固着される中央軸部２１ａの両側に記録再生装置側から係合保持される細軸部２１ｂが形成され、その両端部にケース固定用のフランジ２１ｃが形成されている。この両端のフランジ２１ｃが開口部２６近傍の上下ケース２，３内壁に形成された凹部２８にそれぞれ挿入係止されると共に、上下ケース２，３で挟持された板バネによるバネ部材３０によって両フランジ２１ｃが着脱可能に保持される。
【００２１】
バネ部材３０は上下対称であり、平面が略コ字形状であり、連結基部３０ａからリーダピン２１側の上下に腕部３０ｂが、裏面板３０ｃと略平行に延びて形成され、上下の腕部３０ｂの先端にそれぞれ保持部３０ｄが設けられ、上下の腕部３０ｂ間は切り欠かれて、保持部３０ｄのみがリーダピン２１に当接するように設けられている。上記保持部３０ｄは山形に突出し両側の斜面で移動するリーダピン２１のフランジ２１ｃの外周に当接して撓み変形し、該フランジ２１ｃを凹部２８内に押圧係止する。
【００２２】
また、バネ部材３０の上下端部は、上下ケース２，３の締結に応じて挟持固定されている。また、このバネ部材３０の上下端部は、前記凹部２８に連続形成された溝部３２に装着されている。
【００２３】
上記構造においてバネ部材３０の取り付けは、バネ部材３０の両端部を上下ケース２，３の溝部３２に挿入した状態で上下ケース２，３を締結することで固定され、その組み付け性が良好である。
【００２４】
また、前記バネ部材３０においては、前記リーダピン２１の、前記カートリッジケース７内での位置決め精度を一層向上させるために、図５に示すように、前記リーダピン２１のケース固定用のフランジ２１ｃの前記細軸部２１ｂ側の表面に当接するリブ３０ｆを、前記腕部３０ｂの一部から延出設置することが好ましい。係るリブ３０ｆは、後述の図７に示す第２の実施の形態におけるバネ部材の態様にも適用できる。
【００２５】
＜第２の実施の形態＞
図６及び図７に、この実施形態の板バネによるバネ部材３０を示す。バネ部材３０の基本構造は第１の実施の形態と同様であり、上下及び左右対称形状に設けられている点が異なる。
【００２６】
つまり、前例においては、平板状の裏面板３０ｃが設置されているが、この部分にも上下に腕部３０ｂ及び保持部３０ｄが同形状に形成されてなり、全体が連結基部３０ａを中心として上下対称であると共に左右対称に形成されている。
【００２７】
また、上下ケース２，３におけるバネ部材３０の組み付け部分には、リーダピン２１と当接していない方の保持部３０ｄが挿入される切欠き部３３が設けられている。
【００２８】
本実施形態では、上下ケース２，３に対するバネ部材３０の組み付けが、上下方向および左右方向には方向性がなく、前後方向の方向性を合わせて行えばよいもので、さらに組み付け性の向上を図っている。その他の機能等は第１の実施の形態と同様である。
【００２９】
＜第３の実施の形態＞
図８に、この実施形態の板バネによるバネ部材３０を示す。バネ部材３０の基本構造は第１の実施の形態と同様であり、保持部３０ｄに加えて押圧部３０ｅが設置されている。
【００３０】
連結基部３０ａからリーダピン２１側の上下に腕部３０ｂが延び、その先端にそれぞれ保持部３０ｄが設けられると共に、リーダピン２１の上端フランジ２１ｃに当接する上方の保持部３０ｄのリーダピン２１側の上方にリーダピン２１の上端面に当接して軸方向下方に付勢する押圧部３０ｅが一体に形成されている。
【００３１】
上記押圧部３０ｅは、上方の腕部３０ｂの上縁から側方に屈曲し、さらにＬ状に前方に延びて先端が斜面押圧構造に設けられている。
【００３２】
本実施形態では、リーダピン２１を上下の保持部３０ｄによって前記凹部２８内に保持すると共に、押圧部３０ｅがリーダピン２１の上端面に当接してこれを下方に押圧して、上下方向の位置決めを行って保持精度を向上するものである。
【００３３】
＜第４の実施の形態＞
図９及び図１０に、この実施形態の線バネによるバネ部材４０を示す。
【００３４】
バネ部材４０は上下対称であり、上下方向に延びる連結基部４０ａの上下端からそれぞれ腕部４０ｂが後方に延びると共にヘアピン状に前方に屈曲し、その先端にそれぞれ保持部４０ｄが山形に折り曲げられて設けられている。この保持部４０ｄはリーダピン２１のフランジ２１ｃの外周に当接して撓み変形し、該フランジ２１ｃを凹部２８内に押圧係止する。
【００３５】
また、前記バネ部材４０の連結基部４０ａの中間部には、取付部４０ｃが保持部４０ｄと反対側に屈曲して形成されている。この取付部４０ｃは、上下ケース２，３の合わせ面に形成されたＬ状の取付溝３４に挿入保持される。
【００３６】
つまり、バネ部材４０の取り付けは、その取付部４０ｃを上下ケース２，３を分離した状態で片方の取付溝３４に挿入し、他方のケースを合わせて上下ケース２，３を締結することで固定され、上下保持部４０ｄが一体となっていることでバネ部材４０の組み付け性が良好である。その他の機能等は第１の実施の形態と同様である。
【００３７】
＜第５の実施の形態＞
図１１及び図１２に、この実施形態の線バネによるバネ部材４０を示す。バネ部材４０の基本構造は第４の実施の形態と同様であり、保持部４０ｄに加えて押圧部４０ｅが設置されている。
【００３８】
上部の保持部４０ｄは腕部４０ｂの先端にコイル状に折り曲げられて形成され、この保持部４０ｄの線材がさらにリーダピン２１の上方に延びてリング状に折り曲げられて押圧部４０ｅが一体に形成されている。この押圧部４０ｅは下向きの弾性力を有し、リーダピン２１の上端面に当接して軸方向下方に押圧する。
【００３９】
なお、前記各実施形態におけるバネ部材３０，４０の位置決め固定構造は、適宜設計変更可能である。
【図面の簡単な説明】
【図１】本発明の一つの実施の形態による磁気テープカートリッジの分解斜視図
【図２】第１の実施の形態のバネ部材の取り付け部分を示す要部断面図
【図３】図２の断面平面図
【図４】図２のバネ部材の斜視図
【図５】図４にリブを付設してなるバネ部材の斜視図
【図６】第２の実施の形態のバネ部材の取り付け部分を示す要部断面図
【図７】図６のバネ部材の斜視図
【図８】第３の実施の形態のバネ部材の斜視図
【図９】第４の実施の形態のバネ部材の斜視図
【図１０】図９のバネ部材の取り付け部分を示す要部断面図
【図１１】第５の実施の形態のバネ部材の平面図
【図１２】図１１のバネ部材のＸ矢視図
【符号の説明】
１    磁気テープカートリッジ
２    上ケース
３    下ケース
４    リール
７    カートリッジケース
20    磁気テープ
21    リーダピン
21c     フランジ
26    開口部
27    スライドドア
28    凹部
30,40     バネ部材
30a,40a     連結基部
30b,40b     腕部
30d,40d     保持部
30e,40e     押圧部
32    溝部
33    切欠き部
34    取付溝
【図１】
0003642950.tif 000002
【図２】
0003642950.tif 000003
【図３】
0003642950.tif 000004
【図４】
0003642950.tif 000005
【図５】
0003642950.tif 000006
【図６】
0003642950.tif 000007
【図７】
0003642950.tif 000008
【図８】
0003642950.tif 000009
【図９】
0003642950.tif 000010
【図１０】
0003642950.tif 000011
【図１１】
0003642950.tif 000012
【図１２】
0003642950.tif 000013